(57)【要約】【課題】ビデオムービー等において、メニュー画面やサムネイルのＯＳＤ（オン・スクリーン・ディスプレイ）をテレビ画面に表示する際に、高品位の文字やサムネイルを表示できるＯＳＤ生成装置を提供する。【解決手段】モニタ９用と外部テレビ１１用それぞれに対する混合回路７、８を備え、ＯＳＤ発生手段５、６を用いてそれぞれに対して異なった適切な解像度でのＯＳＤを発生させて、映像処理手段２より出力される映像信号と混合する。これにより、出力装置の特性にあった適切なＯＳＤ表示が可能となる。【選択図】図１
2007139923.tif 000002
【特許請求の範囲】
【請求項１】
所定の処理を施し映像信号を出力する画像処理手段と、ＯＳＤ（オン・スクリーン・ディスプレイ）信号を発生する第１〜第Ｎ（Ｎは２以上の整数）のＯＳＤ回路と、前記映像信号と前記ＯＳＤ信号とを混合して出力する第１〜第Ｎの混合手段とを備え、前記第Ｋ（Ｋは１以上、Ｎ以下の整数）の混合手段が、前記映像信号と前記第ＫのＯＳＤ回路が出力するＯＳＤ信号を混合して出力するようにしたことを特徴とするＯＳＤ生成装置。
【請求項２】
前記第１〜第ＮのＯＳＤ回路、与えられた文字コードに対して異なる解像度の文字表示を発生することを特徴とする請求項１記載のＯＳＤ生成装置。
【請求項３】
前記第１〜第ＮのＯＳＤ回路は、与えられたサムネイルコードに対して異なる解像度のサムネイルを発生することを特徴とする請求項１記載のＯＳＤ生成装置。
【発明の詳細な説明】
【技術分野】
【０００１】
本発明は、モニタ画面を見ながら操作を行う時等に用いるオン・スクリーン・ディスプレイ（以下、ＯＳＤと称す）生成装置に関し、特に、ビデオムービーやビデオカメラへの搭載に適したものに関する。
【背景技術】
【０００２】
近年、液晶表示装置を用いたモニタを備え、その画面上に表示されたＯＳＤを用いて機器の操作を行うビデオムービーが普及している。
【０００３】
特許文献１などに示されるように、従来技術は、カメラ部より入力される映像信号とマイコンによって作成されるＯＳＤは混合回路によって混合し、モニタ画面とビデオ出力端子より出力する。
【特許文献１】特開平６−１７８１６７号公報
【発明の開示】
【発明が解決しようとする課題】
【０００４】
しかしながら上記のような構成では、ビデオ出力端子に接続された外部表示機器（通常テレビ受像器）と、内蔵のモニタ画面とが同じ分解能の映像となる。ＮＴＳＣなどの従来のＳＤ（スタンダード・デフィニション）テレビであれば、モニタの解像度とそれほどの差がないため違和感は特にないが、最近急速に普及してきたハイビジョンテレビにＯＳＤ信号を表示した場合には、その荒さが際立ち、表示品位を損なってしまうという課題があった。
【０００５】
本発明は上記の問題点に鑑み、ハイビジョンテレビに表示した場合であっても美しいＯＳＤが表示されるようにしたＯＳＤ生成装置を提供するものである。
【課題を解決するための手段】
【０００６】
この課題を解決するために本発明のＯＳＤ生成装置は、所定の処理を施し映像信号を出力する画像処理手段と、ＯＳＤ（オン・スクリーン・ディスプレイ）信号を発生する第１〜第Ｎ（Ｎは２以上の整数）のＯＳＤ回路と、前記映像信号と前記ＯＳＤ信号とを混合して出力する第１〜第Ｎの混合手段とを備え、前記第Ｋ（Ｋは１以上、Ｎ以下の整数）の混合手段が、前記映像信号と前記第ＫのＯＳＤ回路が出力するＯＳＤ信号を混合して出力するものである。
【０００７】
また、前記第１〜第ＮのＯＳＤ回路、与えられた文字コードに対して異なる解像度の文字表示を発生するようにしてもよい。
【０００８】
また、前記第１〜第ＮのＯＳＤ回路は、与えられたサムネイルコードに対して異なる解像度のサムネイルを発生するようにしてもよい。
【発明の効果】
【０００９】
以上のように本発明によれば、モニタ画面、外部表示機器それぞれに対して最適化されたＯＳＤ表示を実現することができ、視聴する画質とバランスのとれたＯＳＤを表示することができる。
【発明を実施するための最良の形態】
【００１０】
以下、本発明を実施するための最良の形態について、図面を参照しながら説明する。
【００１１】
（実施の形態１）
図１は、本発明の実施の形態１におけるＯＳＤ生成装置を適用したビデオムービーの構成を示すブロック図である。
【００１２】
図１において、ビデオムービー１０にはテレビ１１が接続されている。ここでは、テレビ１１は解像度１９２０×１０８０ドットのハイビジョンテレビである。また、ビデオムービー１０はモニタ９を有しており、ここでは、４３０×２４０ドットの液晶モニタとなっている。
【００１３】
画像処理手段２は、記録時にはカメラ部１によって撮影された映像をエンコードして記録手段３に書き込むとともに、混合回路７、８に対してカメラ部１からの映像信号に所定の処理を施して出力する。再生時には、記録手段３からデータを読み出し、デコードして混合回路７、８に対して出力する。
【００１４】
マイコン４は、ＯＳＤを発生させたい場合は、ＯＳＤ発生手段５、６に対して命令を発生させる。ここでは、同じ命令を発生させるようにしている。例えば、「座標（１００，１０）に“メニュー”と表示せよ」といった命令を出す。この命令は、ＯＳＤ発生手段５、６に対し、同時に与えられる。その後の処理について図４に示すフローチャートとともに述べる。
【００１５】
図４において、ステップ４１〜４３はＯＳＤ発生手段５及び混合回路７における処理であり、ステップ４４〜４６はＯＳＤ発生手段６及び混合回路８における処理である。
【００１６】
ＯＳＤ発生手段５では与えられた命令に対し、座標（１００，１０）に１２×１２ドットのフォントをルック・アップ・テーブル（以下、ＬＵＴと称す）より読み込み（ステップ４１）、“メニュー”と表示すべく文字列を作成する（ステップ４２）。
【００１７】
一方、ＯＳＤ発生手段６では、与えられた座標を、接続されているテレビ１１に合わせて変換する。ここでは、１９２０×１０８０ドットのテレビが接続されているため、各座標値に４．５を掛け合わせた値を得て使用している。故に、座標（１００，１０）は座標（４５０，４５）と変換される。更にここでは５４×５４ドットのフォントをＬＵＴより読み込み（ステップ４４）、“メニュー”と表示すべく文字列を作成する（ステップ４５）。
【００１８】
ＯＳＤ発生手段５、６それぞれで文字列が完成すると、ＯＳＤ発生手段５は混合回路７におけるモニタ用プレーンに文字列を書き込み（ステップ４３）、画像処理手段２より出力され、モニタ９の解像度とした映像と重ね合わされ、モニタ９へ出力される。また、ＯＳＤ発生手段６は混合回路８におけるテレビ用プレーンに文字列を書き込み（ステップ４６）、画像処理手段２より出力される映像と重ね合わされてビデオ信号としてテレビ１１へ出力される。
【００１９】
次いでマイコン４が「座標（５０，７０）に“よく使う設定”と表示せよ」、「座標（５０，１３０）に“お好み設定”と表示せよ」、「座標（５０，１９０）に“セットアップ”と表示せよ」と命令を出すと、モニタ９には図２に示すとおりのＯＳＤが表示され、テレビ１１には図３に示すとおりのＯＳＤが表示される。
【００２０】
このように本実施の形態では、モニタ９用、テレビ１１用、それぞれに対して、異なるサイズのフォントを用いて文字データを作成するようにしているので、それぞれに対して最適な文字を表示することができる。特に文字の場合、例えばＯＳＤ発生手段６で作成したデータを縮小してモニタ９用として用いると、複雑な文字であれば黒く潰れたり、全体がぼやけた灰色になったりして殆ど判読不能になるが、本実施の形態ではそのようなことは原理的に発生しない。
【００２１】
なお、上記実施の形態ではフォントサイズを１２×１２ドットと５４×５４ドットとしたが、無論これに限ったものではなく、要は、使用するそれぞれの表示装置にとって最適となるようにすれば良いものである。逆に、ドット数で見ると、テレビ１１はモニタ９の４．５倍となっているが、もしＬＵＴに該当するサイズのフォントがない場合は、計算によって得られるドット数以内で最大のものを用いると良い。本実施の形態の場合、モニタ用フォントの１２×１２ドットに対して５４×５４ドットがなく、４８×４８ドットのものがＬＵＴにあったとすると、テレビ用フォントとして４８×４８ドットを用い、文字間隔を６ドット分広く取るようにしてもよい。無論、フィルタ処理によって４８×４８ドットのフォントを５４×５４ドットに拡大して用いても良いことはいうまでもない。
【００２２】
（実施の形態２）
図５は、本発明の実施の形態２におけるＯＳＤ生成装置を適用したビデオムービーの構成を示すブロック図である。
【００２３】
図５は、１個のＯＳＤ発生手段を用いてモニタ９用及びテレビ１１用のＯＳＤを発生するようにした実施の形態である。なお、この図において、図１と同一機能を有するブロックには同一の符号を付し細かな説明は省略する。
【００２４】
ＯＳＤ発生手段５１は、１２×１２ドットのフォントと５４×５４ドットのフォントの２種類を用いて文字を作成し、混合回路７、８それぞれに対してＯＳＤデータを与えるようにしている。実際の処理としては、図４に示すステップ４１〜４３を実行した後にステップ４４〜４６を実行している。ブロックとしては１個であるが、機能としてはモニタ９用、テレビ１１用のＯＳＤを個別に発生するようになっており、２個のＯＳＤ発生機能を有しているものである。
【００２５】
図６は、図５に示すＯＳＤ作成方法を用いてサムネイル表示を行う際の処理手順を示したシーケンス図である。サムネイル描画が要求されると、マイコン５４は画像処理手段２に対して指示を出し、プログラムより代表画を順次取り込む（ステップ６１）。取り込んだ代表画をＯＳＤ発生手段５１に与える。ＯＳＤ発生手段５１はこの代表画を４８０×２７０画素に縮小し（ステップ６２）、テレビ１１用サムネイルとして混合回路８におけるテレビ用プレーンに書き込む（ステップ６３）。このサムネイルは、画像処理手段２より出力される映像と重ね合わされてビデオ信号として出力され、テレビ１１に表示される。
【００２６】
次にＯＳＤ発生手段５１はテレビ用サムネイルを更に１２０×６８画素に縮小し（ステップ６４）、モニタ９用サムネイルとして混合回路７におけるモニタ用プレーンに書き込む（ステップ６５）。このサムネイルは、画像処理手段２より出力される映像と重ね合わされてモニタ９に表示される。
【００２７】
このように、モニタ９用、テレビ１１用に対して、異なるサイズのサムネイルを表示するようにしているが、それぞれの画面に対する比率は同じであるので、テレビ１１に置いてはより解像度の高いサムネイルが表示されることとなる。
【００２８】
なお、上記実施の形態においては、モニタ９用のサムネイルをテレビ１１用のサムネイルから作成するようにしたが無論これに限ったものではなく、ステップ６１で取り込んだ代表画から直接フィルタ処理によって求めても良いことはいうまでもない。
【００２９】
更に、上記実施の形態においては、テレビ１１は解像度１９２０×１０８０のハイビジョンテレビとしたが、解像度１０２４×７２０やその他であっても良いことはいうまでもない。予めマイコン４に対して、接続されているテレビの解像度を設定するようにし、解像度に応じて、フォントサイズやサムネイルサイズを変更するようにすればよい。
【００３０】
また、接続されるテレビの画素が正方形でない場合（例えば１０２４×７２０）に使用するフォントは縦方向に合わせてフォントサイズを決定し、横方向についてはフィルタ処理によってフォントデータを作成すればよい。
【００３１】
例えば、テレビの解像度が１０２４×７２０であった場合は、縦方向が３倍であるので、フォントとしては１２の３倍で３６、つまり３６×３６のフォントを用いる。横方向は２．４倍であるので、このフォントをフィルタ処理により横方向を縮小し２９×３６にする。図７に「設」という文字に対するフォントデータの一例を示す。図７（Ａ）が３６×３６ドット、（Ｂ）が２９×３６ドットである。漢字の場合、横方向の分解能は少なくて済むという特徴があるため、縦方向のドット数を優先させ、横方向はフィルタ処理によって拡大縮小を行うようにするとよい。
【００３２】
因に、この場合において文字列を表示する座標を指示するときは、縦方向と横方向で倍率が異なってくる。例えば、座標（１００，１０）は座標（２４０，３０）と変換される。
【００３３】
また、上記実施の形態では、２つのＯＳＤ発生手段（または機能）と、２つの混合回路による構成を示したが、各々３以上であってもよい。
【産業上の利用可能性】
【００３４】
本発明のＯＳＤ生成装置は、モニタ画面、外部表示機器それぞれに対して最適化されたＯＳＤ表示を実現しており、ビデオムービー、ディジタルカメラに代表される映像機器のみならず、複数個のモニタ画面を有することができ、しかもそれらが異なるサイズのモニタ画面であるすべての機器に適応できる。
【図面の簡単な説明】
【００３５】
【図１】本発明の実施の形態１によるＯＳＤ生成装置の構成を示すブロック図
【図２】同ＯＳＤ生成装置によりモニタに表示されるＯＳＤの一例を示す模式図
【図３】同ＯＳＤ生成装置によりテレビ１１に表示されるＯＳＤの一例を示す模式図
【図４】同ＯＳＤ生成装置のＯＳＤ発生手段５、６による処理を示すシーケンス図
【図５】本発明の実施の形態２によるＯＳＤ生成装置の構成を示すブロック図
【図６】同ＯＳＤ生成装置によりサムネイル画像をＯＳＤ表示する場合の処理を示すシーケンス図
【図７】同ＯＳＤ生成装置のＯＳＤ発生手段５１により作成されたフォントの一例を示す図
【符号の説明】
【００３６】
２    画像処理手段
４、５４    マイコン
５、６、５１    ＯＳＤ発生手段
７、８    混合回路
９    モニタ
１０、５０    ビデオムービー
１１    テレビ
【図１】
2007139923.tif 000003
【図２】
2007139923.tif 000004
【図３】
2007139923.tif 000005
【図４】
2007139923.tif 000006
【図５】
2007139923.tif 000007
【図６】
2007139923.tif 000008
【図７】
2007139923.tif 000009